(57)【特許請求の範囲】
【請求項１】
防振機能を備えたズームレンズにおいて、物体側から順に、正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、正または負の屈折力を有する第５レンズ群Ｇ５とからなり、広角端から望遠端への変倍時には、該第１レンズ群Ｇ１と第５レンズ群Ｇ５は像面に対し固定であり、該第１レンズ群Ｇ１と該第２レンズ群Ｇ２との間隔は変化し、該第２レンズ群Ｇ２と該第３レンズ群Ｇ３の間隔は変化し、該第３レンズ群Ｇ３と該第４レンズ群Ｇ４の間隔は減少し、該第４レンズ群Ｇ４と該第５レンズ群Ｇ５の間隔は変化することを特徴とするズームレンズにおいて、
前記第４レンズ群Ｇ４を光軸とほぼ直交する方向に移動させて防振するための変位手段を備え、前記第４レンズ群Ｇ４の焦点距離をｆ４、望遠端の焦点距離をｆｔとした時、
０.１５＜ｆ４／ｆｔ＜０.３  ・・・・・  （１）
の条件式を満足するズームレンズ。
【請求項２】
前記第４レンズ群Ｇ４は、負レンズと正レンズからなり、平均屈折率をｎＧ４とした時、
１.６＞ｎＧ４ ・・・・・  （２）
の条件式を満足する請求項１に記載のズームレンズ。
【請求項３】
前記第１レンズ群Ｇ１は、物体側から順に、正の屈折力を有する第１レンズ群前部ＧＬ１と、正の屈折力を有する第１レンズ群後部ＧＬ２を有し、該第１レンズ群後部ＧＬ２でフォーカスすることを特徴とし、前記第1レンズ群後部ＧＬ２は、負レンズと正レンズからなり平均屈折率をｎＧ２とした時、
１.６＞ｎＧ２ ・・・・・  （３）
の条件式を満足し、
かつ、前記第１レンズ群後部ＧＬ２の焦点距離をｆＬ２、前記第１レンズ群Ｇ１の焦点距離をｆ１とした時の比が、
２.２＜ｆＬ２／ｆ１＜４  ・・・・・  （４）
の条件式を満足する請求項1または請求項2に記載のズームレンズ。
【発明の詳細な説明】
【０００１】
【発明の属する技術分野】
本発明は防振機能を備えたズームレンズに関し、特にフイルム写真用カメラ、デジタルカメラや、ビデオカメラなどに使用されるズームレンズの防振機能に関するものである。
【０００２】
【従来の技術】
従来より、防振機能を備えたズームレンズにおいては、たとえば特開平１１−３１６３４２号公報に開示されるように、変倍の際には、変倍に用いるレンズ群を多群で構成してレンズ全長を移動させ、手振れなどに起因する像位置の変動を補正する際には、一部のレンズ群を光軸と直行方向に移動させて補正していた。
【０００３】
【発明が解決しようとする課題】
しかしながら、上述のような防振機能を備えたズームレンズでは、ズームレンズ群が多群で構成されるため、機構が複雑になる問題点があった。さらに防振機構や手振れ検出機構などの像位置の変動を補正するための各機構部品の配置に制限を課せなければならなかった。
【０００４】
本発明は、前述の課題に鑑みてなされたものであり、簡易な機構の防振ズームレンズを提供することを目的とする。
【０００５】
【課題を解決するための手段】
本発明は、上述の課題を解決するために、物体側から順に正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、正または負の屈折力を有する第５レンズ群Ｇ５とを備え、広角端から望遠端への変倍時には、該第１レンズ群Ｇ１と該第５レンズ群Ｇ５は像面に対し固定であり、該第１レンズ群Ｇ１と該第２レンズ群Ｇ２との間隔は変化し、該第２レンズ群Ｇ２と該第３レンズ群Ｇ３の間隔は変化し、該第３レンズ群Ｇ３と該第４レンズ群Ｇ４の間隔は減少し、該第４レンズ群Ｇ４と該第５レンズ群Ｇ５の間隔は変化する構成とした。
【０００６】
また、防振をするための変位手段として、前記第４レンズ群Ｇ４を光軸とほぼ直交する方向に移動さる構成とし、前記第１レンズ群Ｇ１は、物体側から順に、正の屈折力を有する第１レンズ群前部ＧＬ１と、正の屈折力を有する第１レンズ群後部ＧＬ２を有し、該第１レンズ群後部ＧＬ２でフォーカスをする構成とした。
【０００７】
さらに、前記第４レンズ群Ｇ４の焦点距離をｆ４、望遠端の焦点距離をｆｔとした時、
０．１５＜ｆ４／ｆｔ＜０．３  ・・・・・  （１）
の条件を満足する。
【０００８】
前記第４レンズ群Ｇ４は、負レンズと正レンズからなり、平均屈折率をｎＧ４とした時、
１．６＞ｎＧ４  ・・・・・  （２）
の条件を満足する。
【０００９】
前記第１レンズ群後部ＧＬ２は、負レンズと正レンズからなり、平均屈折率をｎＧ２とした時、
１．６＞ｎＧ２  ・・・・・  （３）
の条件を満足する。
【００１０】
前記第１レンズ群後部ＧＬ２の焦点距離をｆＬ２、前記第１レンズ群Ｇ１の焦点距離をｆ１とした時の比が、
２．２＜ｆＬ２／ｆ１＜４  ・・・・・  （４）
の条件を満足する。
【００１１】
【発明の実施の形態】
本発明では、フイルム写真用カメラ、デジタルカメラやビデオカメラ用のズームレンズに適するように、物体側から順に、正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、正または負の屈折力を有する第５レンズ群Ｇ５とを備え、広角端から望遠端への変倍時には、該第１レンズ群Ｇ１と該第５レンズ群Ｇ５は像面に対し固定であり、該第１レンズ群Ｇ１と該第２レンズ群Ｇ２との間隔は変化し、該第２レンズ群Ｇ２と該第３レンズ群Ｇ３の間隔は変化し、該第３レンズ群Ｇ３と該第４レンズ群Ｇ４の間隔は減少し、該第４レンズ群Ｇ４と該第５レンズ群Ｇ５の間隔は変化するという基本構成を採用している。
【００１２】
まず、上述の基本構成を有するズームレンズの特徴および利点について説明をする。
【００１３】
ズームレンズ群を多群で構成し、変倍の際にレンズ全長を移動させる光学系は、短焦点側でレンズ全長を、大幅に短くできる利点を有しているが、古典的４群ズームのような全長固定型ズームレンズと比べ、機構的に複雑になるなどの欠点を有する。さらに、本発明のように、手振れなどに起因する像位置の変動を補正する光学系を内蔵させる場合、補正光学系を駆動する機構、手振れ検出機構などの付加要素があるためさらに機構的レイアウトの制限が必要となる。コストダウンや信頼性を確保するにはズーム光学系がシンプルであることが望ましい。本発明は、第１レンズ群Ｇ１と最終レンズ群が、ズームによらず像面に対して固定の構成を採用することにより、機構的に簡素化を行った。また、絞りが固定群である第５レンズ群Ｇ５内に位置するため、絞り駆動も容易になる。さらに、前述の第１レンズ群Ｇ１内の正の屈折力を有する第１レンズ群後部ＧＬ２でフォーカスをすることにより、複雑なカムを用いることなくインナーフォーカスが可能となり、さらにフォーカス群の重量軽減をはかることができる。
【００１４】
以下、本発明の条件式について詳述する。一般的に、防振補正光学系は、小型軽量であることが望ましく、全ズーム域で防振時の光学性能の低下を極力押さえなければならなく、特に軸外光線は光軸近傍を通過することが望ましい。従って、絞り近傍の光学系を防振補正光学系にすれば良いのである。本発明では、絞り近傍の第４レンズ群Ｇ４を防振レンズ群とするため上述した条件を満足できる。
【００１５】
条件式（１）は、防振レンズ群と望遠端の焦点距離の比を規定するための条件である。条件式（１）の下限を超え、防振レンズ群のパワーが強くなると、偏芯敏感度が大きくなり防振レンズ群の移動量が小さくなるが、防振時の光学性能の低下が大きくなり好ましくない。更に光学性能の低下を防ぐためには、防振レンズ群の構成枚数が増えるため、重量が重くなり防振駆動ができなくなる。条件式（１）の上限を超え、防振レンズ群のパワーが弱くなると、防振駆動量を大きくしなければ防振効果が得られなくなるため、防振レンズ系の外径が大きくなり、全体の光学系が大型化する。
【００１６】
条件式（２）は、防振光学系の重量を軽量化するための条件である。撮影系の振動に対する防振レンズ群の追従性をよくするためには、防振レンズ群の軽量化が必須である。現存する光学ガラスは屈折率が高いほど比重が大きい傾向にあり、古典的硝子は比重が小さい。この境界が屈折率１．６近辺にあるため、軽量化するためには、比重の小さい古典的ガラスを使用しなければならない。また、防振レンズ群は、ダブレット以上の構成でなければならない。単レンズであると偏芯による色コマ等が発生し、光学性能の低下を防げない。これらの理由から、防振レンズ群はダブレットからなり、平均屈折率が１．６以下でないといけない。
【００１７】
また、本発明は、前記第１レンズ群Ｇ１内に正の屈折力を有する第１レンズ群後部ＧＬ２でフォーカスをすることにより、複雑なカムを使うことなくインナーフォーカスが可能となり、フォーカス群の重量軽減をはかることができる。
【００１８】
条件式（３）は、このインナーフォーカス部の平均屈折率を規定するための条件である。条件式（２）で説明したように、硝材の屈折率と比重は略比例関係にあり、従って軽量な硝材を用いるためには、屈折率の制約が必要となる。また、超望遠ズームのためには、フォーカシングによる色収差の変動を押さえなければならないのでインナーフォーカス部はダブレットが必要であり、さらに平均屈折率が１．６以下でないと軽量化がはかれない。
【００１９】
条件式（４）は、インナーフォーカス部の焦点距離と前記第１レンズ群Ｇ１の焦点距離の比を規定するための条件である。条件式（４）の下限を超え、インナーフォーカス群のパワーが相対的に強くなるとフォーカス群の繰り出し量は少なくなるが、球面収差と色収差の変動が大きくなり、補正が困難となる。条件式（４）の上限を超え、インナーフォーカス群のパワーが相対的に弱くなると、フォーカシング量が大きくなるためフォーカシング群の径も大きくなりレンズ重量が増えるので好ましくない。
【００２０】
【実施例】
以下、本発明の各実施例を図面を用いて説明をする。本発明のズームレンズは、物体側から順に、正の屈折力を有する第１レンズ群Ｇ１と、負の屈折力を有する第２レンズ群Ｇ２と、負の屈折力を有する第３レンズ群Ｇ３と、正の屈折力を有する第４レンズ群Ｇ４と、正または負の屈折力を有する第５レンズ群Ｇ５とを備え、広角端から望遠端への変倍時には、該第１レンズ群Ｇ１と該第５レンズ群Ｇ５は像面に対し固定であり、該第１レンズ群Ｇ１と該第２レンズ群Ｇ２との間隔は変化し、該第２レンズ群Ｇ２と該第３レンズ群Ｇ３の間隔は変化し、該第３レンズ群Ｇ３と該第４レンズ群Ｇ４の間隔は減少し、該第４レンズ群Ｇ４と該第５レンズ群Ｇ５の間隔は変化する。
【００２１】
また、前記第１レンズ群Ｇ１は、物体側から順に、正の屈折力を有する第１レンズ群前部ＧＬ１と、正の屈折力を有する第１レンズ群後部ＧＬ２を有し、該第１レンズ群後部ＧＬ２でフォーカスをする。前記第４レンズ群Ｇ４は、光軸とほぼ直交する方向に移動さることで、像位置の変動を補正する変位手段である。なお、前記第５レンズ群Ｇ５内に絞りを配置する。
【００２２】
本発明の各実施例の諸元値は、以下の通りである。ｆは焦点距離、ＦＮＯはＦナンバー、２ωは画角、番号は面番号で物体側からのレンズ面の順番、Ｒ（Ｉ）はレンズ面の曲率半径、Ｄ（Ｉ）はレンズ面の間隔、ＮＤはｄ線の屈折率、Ｖｄはアッベ数を表している。
【００２３】
実施例１
ｆ＝１３８.５〜３８７.２
ＦＮＯ＝５.８７
２ω＝１７.６°〜６.２°
番号        Ｒ（Ｉ）            Ｄ（Ｉ）        ＮＤ            Ｖｄ
[ 1]      １３６.７０２７      ３.２４６８    １.７２３４２    ３８.０
[ 2]        ７７.７３９１      ０.１０００
[ 3]        ７５.６２３６    １１.６３０５    １.４９７００    ８１.６
[ 4]    −７８３.２９８０      ０.１０００
[ 5]      １４４.３５４９      ５.４９６５    １.４９７００    ８１.６
[ 6]      ８２３.７７５９    １８.０１６４      可変間隔
[ 7]      １０７.４８８０      ２.４９９７    １.６２００４    ３６.３
[ 8]        ６７.０５８５      ８.２８４０    １.４８７４９    ７０.４
[ 9]      ６８６.６０２７      ６.０５８７      可変間隔
[10]  −４１８２.６００５      １.８９７５    １.７７２５０    ４９.６
[11]        ３６.０４８９      ５.２９０８    １.８３４００    ３７.３
[12]      １００.５１４９      ４.０４２５      可変間隔
[13]      １３０.７４１９      １.４２１７    １.８０６１０    ４０.７
[14]        ５５.１０８８      ３.８８２２
[15]      −５９.０８３４      １.３７２５    １.７７２５０    ４９.６
[16]        ６５.６０６８      ３.６２６５    １.８４６６６    ２３.８
[17]    −３２６.４３２３    ６３.２０４３      可変間隔
[18]        ６２.７７１１      １.５４０５    １.６２００４    ３６.３
[19]        ３０.８２７１      ８.５０５８    １.４８７４９    ７０.４
[20]      −９０.５７８８    １２.４２９０      可変間隔
[21]      −６３.２９２０      １.３０８９    １.７８５９０    ４３.９
[22]      ２０６.９５５８      ３.３６９３    １.５４８１４    ４５.８
[23]      −６７.５３３４      １.５０００
[24]          ０.０            １.６０００        絞り
[25]        ３９.２７８３      ４.３４５１    １.４９７００    ８１.６
[26]      ４１６.０３９９    ５６.１７２４
[27]      −２２.３４３３      １.３７５１    １.７７２５０    ４９.６
[28]      −９１.８８６３      ０.６９８０
[29]      ２４９.３３０７      ３.４８１４    １.６２００４    ３６.３
[30]      −５９.５４３１      ４.９９８２
[31]          ０.０
焦点距離          １３８.５８４８    ２８９.２２５８    ３８７.２１９７
バックフォーカス    ４８.５０５９      ４８.５８５０      ４８.８９５７
ＦＮＯ                ５.８７３０        ５.８７            ５.８７
Ｄ（  ６）          １８.０１６４      １８.０１６４      １８.０１６４
Ｄ（  ９）            ６.０５８７      １６.３９７２      １１.８９６１
Ｄ（１２）            ４.０４２５      １９.３４４１      ４７.３６６８
Ｄ（１７）          ６３.２０４３      ２２.１３８１        ４.２５００
Ｄ（２０）          １２.４２９０      ２７.９１１０      ２１.４８３０
ｆ１  ：      １１５.７８
ｆＬ２：      ３２０.４３
ｆ２  ：    −１４８.３５
ｆ３  ：      −５６.０８
ｆ４  ：        ９２.７９
ｆ５  ：  −１０００.００
ｆ４／ｆｔ＝０.２４
ｆＬ２／ｆ１＝２.７７
防振レンズ群の移動量（ｍｍ）０.７
【００２４】
実施例２
ｆ＝１３７.９〜３８６.１
ＦＮＯ＝５.８７
２ω＝１７.８°〜６.２°
番号          Ｒ（Ｉ）          Ｄ（Ｉ）        ＮＤ            Ｖｄ
[ 1]      １４２.０３７１      ３.２４６８    １.７２３４２    ３８.０
[ 2]        ７８.９７０９      ０.１０００
[ 3]        ７６.８１５９    １１.７９７６    １.４９７００    ８１.６
[ 4]    −５６４.８８２４      ０.１０００
[ 5]      １５０.２０４７      ５.６２６５    １.４９７００    ８１.６
[ 6]    １４１８.０７２６    １７.９９２２      可変間隔
[ 7]      １１３.３４６６      ２.４９９７    １.６２００４    ３６.３
[ 8]        ７２.５３３８      ７.５５７７    １.４８７４９    ７０.４
[ 9]      ７９４.７２１０      ２.０９４３      可変間隔
[10]  −１３２４.８８３４      ２.２８０９    １.７７２５０    ４９.６
[11]        ３８.５５７０      ６.４９６３    １.８３４００    ３７.３
[12]      １０６.７８５８      ２.６９８０      可変間隔
[13]      １２３.６４９８      １.４２１７    １.８０６１０    ４０.７
[14]        ５９.７８２５      ４.１２５９
[15]      −６７.８９７２      １.５６７６    １.７７２５０    ４９.６
[16]        ５９.９５３２      ４.０５１７    １.８４６６６    ２３.８
[17]  −１４１４.３８６４    ６７.１４３０      可変間隔
[18]        ６５.７８６５      １.５４９９    １.６２００４    ３６.３
[19]        ３１.７９２０      ８.７８１７    １.４８７４９    ７０.４
[20]      −８６.２３３９      ５.５１２７      可変間隔
[21]      −６１.２７３３      １.４５５７    １.７８５９０    ４３.９
[22]      １５７.２３１４      ４.０８０３    １.５４８１４    ４５.８
[23]      −６４.３４９８      １.５０００
[24]          ０.０            １.６０００        絞り
[25]        ３９.２７８３      ４.８２１７    １.４９７００    ８１.６
[26]      ３８８.７３９９    ５７.５９９６
[27]      −２２.０９５９      １.３３２８    １.７７２５０    ４９.６
[28]    −１２９.２６６９      １.０４４２
[29]      ３０５.７３６５      ３.８２３４    １.６２００４    ３６.３
[30]      −４９.８６８６      ７.７９４２
[31]          ０.０
焦点距離          １３７.９２８３    ２９９.０８０４    ３８６.１４５１
バックフォーカス    ４８.３１００      ４８.０１６２      ４８.５９１３
ＦＮＯ                ５.８６９６        ５.８５９３        ５.８８６３
Ｄ（  ６）          １７.９９２２      １７.９９２２      １７.９９２２
Ｄ（  ９）            ２.０９４３        ７.９７１５        ６.５３８７
Ｄ（１２）            ２.６９８０      ４１.５４４７      ５５.０９１４
Ｄ（１７）          ６７.１４３０      ２３.２２０７        ４.２５００
Ｄ（２０）            ５.５１２７        ４.９８０２      １１.３４５６
ｆ１  ：    １１４.０３
ｆＬ２：    ３２６.６４
ｆ２  ：  −１４７.６１
ｆ３  ：    −６０.２２
ｆ４  ：      ９３.２９
ｆ５  ：  −５００.１３
ｆ４／ｆｔ＝０.２４
ｆＬ２／ｆ１＝２.８６
防振レンズ群の移動量（ｍｍ）０.７
【００２５】
実施例３
ｆ＝１３９.８〜３８８.１
ＦＮＯ＝５.８３
２ω＝１７.６°〜６.２°
番号          Ｒ（Ｉ）          Ｄ（Ｉ）        ＮＤ            Ｖｄ
[ 1]      １０９.２６２０      ３.２４６８    １.７２３４２    ３８.０
[ 2]        ７０.２５０８      ０.１０００
[ 3]        ６９.１７００    １１.６２７０    １.４９７００    ８１.６
[ 4]    ９４１０.４４９５      ０.１０００
[ 5]      １３４.７２１４      ５.８２０８    １.４９７００    ８１.６
[ 6]      ８９５.１６８０    １７.６４４８      可変間隔
[ 7]        ９６.８６５６      ２.４９９７    １.６２００４    ３６.３
[ 8]        ５７.９８５１      ８.７４０５    １.４８７４９    ７０.４
[ 9]      ４１７.５１２０      ９.１７３４      可変間隔
[10]    −９５８.３３８０      １.８５２６    １.７７２５０    ４９.６
[11]        ３１.３３３７      ８.１４２４    １.８３４００    ３７.３
[12]        ７９.２２５６      ３.３３１５      可変間隔
[13]      １０７.３４５４      １.４２１７    １.８０６１０    ４０.７
[14]        ４５.２９１５      ３.７８２１
[15]      −５０.１４１８      １.３７８９    １.７７２５０    ４９.６
[16]        ５０.１４５３      ３.７５２９    １.８４６６６    ２３.８
[17]    −３３４.１１８０    ４６.８９２２      可変間隔
[18]        ６２.１４０９      ２.４０８４    １.６２００４    ３６.３
[19]        ２９.３５０１      ９.０５５１    １.４８７４９    ７０.４
[20]      −７２.４６６４    １２.５２８５      可変間隔
[21]      −５４.１１０７      １.３３１５    １.７８５９０    ４３.９
[22]      ２７１.９７３９      ３.１６９０    １.５４８１４    ４５.８
[23]      −６７.８２４５      １.５０００
[24]          ０.０            １.６０００        絞り
[25]        ３９.２７８３      ４.７８６７    １.４９７００    ８１.６
[26]    −６５１.９２４９    ４９.４３１２
[27]      −２３.００４８      １.３６３１    １.７７２５０    ４９.６
[28]      −４４.４６０２      ０.１０００
[29]    １９４２.７１５６      ２.８００６    １.６２００４    ３６.３
[30]      −７５.７０８０    ２１.９９１０
[31]          ０.０
焦点距離          １３９.７８０５    ２８４.２０７２    ３８８.１６３４
バックフォーカス    ４８.４２３４      ４７.９７６０      ４８.６４００
ＦＮＯ                ５.８２８９        ５.８１０３        ５.８３８３
Ｄ（  ６）          １７.６４４８      １７.６４４８      １７.６４４８
Ｄ（  ９）            ９.１７３４      ２０.７１８２      ２０.２９２０
Ｄ（１２）            ３.３３１５      １７.１０６９      ３０.９１９６
Ｄ（１７）          ４６.８９２２      １９.６１４２        ４.２５００
Ｄ（２０）          １２.５２８５      １４.９７７０      １６.４４８４
ｆ１  ：    １１０.３４
ｆＬ２：    ３３２.２３
ｆ２  ：  −１０７.２６
ｆ３  ：    −４６.００
ｆ４  ：      ８３.８２
ｆ５  ：    ４２０.７４
ｆ４／ｆｔ＝０.２２
ｆＬ２／ｆ１＝３.０１
防振レンズ群の移動量（ｍｍ）０.７
【００２６】
【発明の効果】
以上のように本発明によれば、簡易なレンズ構成で、防振機構や手振れ検出機構などの部品配置にゆとりのある防振機構を有したズームレンズを実現することができる。
【図面の簡単な説明】
【図１】実施例１のレンズ構成図
【図２】実施例１の非防振時における広角端の収差図
【図３】実施例１の非防振時における中間焦点距離の収差図
【図４】実施例１の非防振時における望遠端の収差図
【図５】実施例１の防振時における広角端のコマ収差図
【図６】実施例１の防振時における中間焦点距離のコマ収差図
【図７】実施例１の防振時における望遠端のコマ収差図
【図８】実施例２のレンズ構成図
【図９】実施例２の非防振時における広角端の収差図
【図１０】実施例２の非防振時における中間焦点距離の収差図
【図１１】実施例２の非防振時における望遠端の収差図
【図１２】実施例２の防振時における広角端のコマ収差図
【図１３】実施例２の防振時における中間焦点距離のコマ収差図
【図１４】実施例２の防振時における望遠端のコマ収差図
【図１５】実施例３のレンズ構成図
【図１６】実施例３の非防振時における広角端の収差図
【図１７】実施例３の非防振時における中間焦点距離の収差図
【図１８】実施例３の非防振時における望遠端の収差図
【図１９】実施例３の防振時における広角端のコマ収差図
【図２０】実施例３の防振時における中間焦点距離のコマ収差図
【図２１】実施例３の防振時における望遠端のコマ収差図
【符号の説明】
Ｇ１  第１レンズ群
Ｇ２  第２レンズ群
Ｇ３  第３レンズ群
Ｇ４  第４レンズ群
Ｇ５  第５レンズ群
ＧＬ１  第１レンズ群前部
ＧＬ２  第１レンズ群後部
【図１】
0004142305.tif 000002
【図２】
0004142305.tif 000003
【図３】
0004142305.tif 000004
【図４】
0004142305.tif 000005
【図５】
0004142305.tif 000006
【図６】
0004142305.tif 000007
【図７】
0004142305.tif 000008
【図８】
0004142305.tif 000009
【図９】
0004142305.tif 000010
【図１０】
0004142305.tif 000011
【図１１】
0004142305.tif 000012
【図１２】
0004142305.tif 000013
【図１３】
0004142305.tif 000014
【図１４】
0004142305.tif 000015
【図１５】
0004142305.tif 000016
【図１６】
0004142305.tif 000017
【図１７】
0004142305.tif 000018
【図１８】
0004142305.tif 000019
【図１９】
0004142305.tif 000020
【図２０】
0004142305.tif 000021
【図２１】
0004142305.tif 000022